(57)【要約】    【課題】  シート状物を把持する際のズレ及び開閉ガイドとレバーが接触する際に発生する摩耗紛を軽減またはなくす。    【解決手段】  折尺状に形成された複数個の等長リンク装置３１よりなる無端リンク装置３において、該等長リンク装置１５の内側端に設けられ、シート状物１を挟み込む構造を有する掴み装置２であって、下掴み子２０３に対する上掴み子２０２の開閉方向をシート状物の表面と略垂直方向で、磁力およびばね力により開閉することを特徴する。【選択図】  図２
2005212312.tif 000002
【特許請求の範囲】
【請求項１】
折尺状に形成された複数個の等長リンク装置を繋げて構成される無端リンク装置をシート状物の両側に備え、前記等長リンク装置の内側端に設けられた掴み装置でシート状物の端部を掴み、前記等長リンク装置のリンク軸が進行方向に末広がり状に配置されたガイドレールに案内されて前記シート状物を延伸するシート状物の延伸機であって、
前記掴み装置において、下掴み子に対する上掴み子の開閉方向が前記シート状物の表面と略垂直方向になるように構成し、入口および出口に設けられた開閉ガイドとの間で非接触で磁力を用いて前記下掴み子に対して上掴み子を開かせる磁石手段と、前記下掴み子に対して前記上掴み子を閉じてその間に挿入された前記シート状物の端を掴んで把持するばね力付与手段とを備えたことを特徴とするシート状物の延伸機。
【発明の詳細な説明】
【技術分野】
【０００１】
本発明は、シート状物、例えば熱可塑性樹脂フィルム等を延伸する延伸機に関するものである。
【背景技術】
【０００２】
従来のシート状物の延伸機の掴み装置として、特開昭６２−４４４２６号公報にシート状物を把持又は開放してその状態を自己保持するクリップ本体と、該クリップ本体に揺動自在に装着され、その頂部に永久磁石を固着してなるクリップレバーと、前記永久磁石に反発する磁極を有するクリップクローザ及びクリップオープナーとを具備して、前記クリップレバーの揺動が磁気の反発力によって駆動されてシート状物の把持又は開放を行うことが記載されている。
【０００３】
【特許文献１】特開昭６２−４４４２６号公報
【発明の開示】
【発明が解決しようとする課題】
【０００４】
しかしながら、上記特許文献１に記載された掴み装置は、シート状物表面と略平行に掴み子が移動するため、シート状物掴み時にシート状物をシート状物の幅方向に移動させるため、シート状物の中央がたわみ、加熱時の温度斑や延伸斑が発生する確率が高い。また、延伸倍率の精度にも影響を与えるものと考えられる。
【０００５】
本発明の目的は、シート状物のズレの発生を防止し、しかも開閉ガイドと非接触で開閉して摩耗紛の発生を防止して製品の歩留りを向上させるシート状物延伸用掴み装置を提供することにある。
【課題を解決するための手段】
【０００６】
本発明は、上記目的を達成するために、折尺状に形成された複数個の等長リンク装置を繋げて構成される無端リンク装置をシート状物の両側に備え、前記等長リンク装置の内側端に設けられた掴み装置でシート状物の端部を掴み、前記等長リンク装置のリンク軸が進行方向に末広がり状に配置されたガイドレールに案内されて前記シート状物を延伸するシート状物の延伸機であって、前記掴み装置において、下掴み子に対する上掴み子の開閉方向が前記シート状物の表面と略垂直方向になるように構成し、入口および出口に設けられた開閉ガイドとの間で非接触で磁力を用いて前記下掴み子に対して上掴み子を開かせる磁石手段と、前記下掴み子に対して前記上掴み子を閉じてその間に挿入された前記シート状物の端を掴んで把持するばね力付与手段とを備えたことを特徴とする。
【０００７】
また，本発明は，前記掴み装置において、支持腕に取り付けられた円筒部材の内部にばねと、上部に磁石、下部に上掴み子を連結してなるピストンとを設けたことを特徴とする。
【０００８】
また、本発明は、前記円筒部材がシート状物の幅方向に揺動可能な状態で支持腕に枢着されたことを特徴とする。
【発明の効果】
【０００９】
本発明によれば、掴み装置がシート状物の端を掴む際、シート状物のズレが発生せず、しかも開閉ガイドとの間で非接触で掴み装置を開閉できるので摩耗紛の発生を防止して製品の歩留を向上させる効果が有る。
【発明を実施するための最良の形態】
【００１０】
本発明に係るシート状物の延伸機における掴み装置の実施の形態を図面を用いて説明する。
【００１１】
即ち、本発明は、シート状物の延伸機における掴み装置の開閉を開閉ガイドとの間で非接触で行う目的を、掴み装置本来の把持力を損なうことなく、また、フィルム掴み時にフィルムをフィルムの幅方向に移動させることなく実現した。
【００１２】
まず、本発明に係るシート状物の延伸機の実施の形態について図１〜図３を用いて説明する。
【００１３】
図１は本発明の第1の実施例である同時二軸延伸機の平面図、図２は等長リンク３１の断面図で、その構成および動作は以下の通りである。
【００１４】
熱可塑性樹脂のシート状物１の端部を把持する複数の掴み装置２をシート状物１の両側に具備した無端リンク装置３（図中リンクの一部並びに片側の無端リンクは省略）は、折尺状に形成された複数個の等長リンク３１を繋げて構成される。さらに、無端リンク装置３は、シート状物の入口側スプロケット４で駆動される。そして、入口に設けられた開閉ガイド１０に設置している磁石１０１と掴み装置２に設置してある磁石２０４（動作の詳細は後述）の働きにより、掴み装置２が開いてばね力で閉じてシート状物１の端を掴み、予熱区間で延伸に必要な温度に加熱される。その後、無端リンク装置３は、進行方向に末広がり状に配置されたガイドレール５〜７に案内されて等長リンク装置３１が開いて掴み装置２の掴みピッチがＰ１からＰ２に徐々に拡大することにより、シート状物１を縦横二方向に同時に延伸させ、その後熱処理区間において所定の温度で熱固定し、冷却区間で急冷する。そして、出口に設けられた開閉ガイド１１に設置している磁石１１１と掴み装置２に設置してある磁石２０４（動作の詳細は後述）の働きによりシート状物１を外し、外されたシート状物１はそのまま進行することになる。さらに、無端リンク装置３は、出口側スプロケット８により駆動されて、入口側スプロケット４に戻るように構成される。
【００１５】
前記ガイドレール５〜７は一対の組になった案内溝で、シート状物１に近い方のシート側ガイド５と中間ガイド６より形成される案内溝にはシート状物１を把持する掴み装置２が連結されたリンク軸１２（図２）が軸受ローラ９ａを介して保持される。他方の反シート側ガイド７と中間ガイド６より形成される案内溝には掴み装置２を有さないリンク軸１３（図２）が軸受ローラ９ｂを介して保持され、リンク軸１２、１３はリンクプレート１４及び１５により連結される。このため、掴み装置２はリンクの折尺部に一つおきに連結される構成となる。即ち、掴み装置２は、折尺状に形成された等長リンク装置３１を構成するリンクプレート１５の内側端に設けられることになる。なお、無端リンク装置３における等長リンク装置３１の最大ピッチを制限するチェーンリンク２５ａ、２５ｂは、隣接したリンク軸１３間に設けられている。
【００１６】
次に、本発明に係る掴み装置の第1の実施例の構成及び動作を図３により説明する。
【００１７】
掴み装置２は、等長リンク３１の構成部材であるリンクプレート１５の内側端に交換可能に取り付けられる。そして、掴み装置２は、リンクプレート１５の延長上の延長部１５１と延長部１５１に一体的に支持される支持腕１５２とを有し、さらに、該支持腕１５２に固着されたカバー（筒状部材）２０１に内装されたピストン（シート状物１の表面と略垂直方向に移動可能に構成する。）２０５を有し、該ピストン２０５の下端には上掴み子２０２を連結し、該上掴み子２０２と上記延長部１５１に固着された下掴み子２０３との間でシート状物１を挟み込むように構成する。カバー２０１は、内部に固定されたつば２０５ａを有する。ピストン２０５は、上部に磁石２０４、下部に上掴み子２０２及び中間に固定されたつば２０５ａを有する。２０６は、下掴み子２０３と上掴み子２０２との間でシート状物１の端を把持するための把持力（閉じ力）を付与するための内挿ばね（ばね力付与手段）で、カバー２０１のつば２０１ａとピストン２０５のつば２０５ａとの間に内挿される。
【００１８】
シート状物１の着脱法は、入口スプロケット４側に設置された開閉ガイド１０を等長リンク３１が通過する際、開閉ガイド１０に設置している磁石１０１と前記磁石１０１と異極を有する掴み装置２の磁石２０４が相対することで、両者の磁石は吸引し合い、ピストン２０５が内挿ばね２０６を圧縮しながら上昇する。このことにより、上掴み子２０２が下掴み子２０３に対してシート状物１の表面と略垂直方向に上昇して間隔が広がり、開閉ガイド１０を通過後内挿ばね２０６のばね力により、もとの状態に復元する。この一連の動作中に、シート状物１が進行しながら挿入されることで、掴み装置２にシート状物１が挟み込まれて上記内挿ばね力で把持されるのが維持され、延伸区間において延伸されることになる。一方、出口スプロケット５側に設置された開閉ガイド１１と等長リンク３１が通過する際は、前記と同様に開閉ガイド１１に設置された磁石１１１と掴み装置２に設置された磁石２０４の働きにより、ピストン２０５が動作し、上下掴み子２０２が開放される。このことで、シート状物１が外れ、等長リンク３１が開閉ガイド１１を通過後、もとの状態に復元される。このように、開閉ガイド１０に設置している磁石１０１とピストン２０５の磁石２０４とで、下掴み子２０３に対して上掴み子２０２を開かせるための磁石手段が構成される。さらに、内挿ばね２０６によって、下掴み子２０３に対して上掴み子２０２を閉じてその間に挿入されたシート状物１の端を掴んで把持するばね力付与手段が構成される。
【００１９】
本実施例によれば、非接触で掴み装置２を開閉することが出来るため、摩耗紛が発生せず、製品シートの歩留が改善できる。また、シート状物１の表面に対してほぼ垂直に上掴み子２０２が移動するため、シート状物掴み時にシート状物１をシート状物の幅方向に移動させることはない。
【００２０】
なお、本実施例は開閉ガイド１０、１１に設置した磁石１０１、１１１と掴み装置２の磁石２０４が吸引することで上下の掴み子２０２、２０３の間を開閉させる例に関して記載したものであるが、シート状物を把持する際はカバー２０１に取り付けられた磁石との間で常に磁石２０４との反発力を負荷し，シート状物１の押え力を増強することも可能である。また、開閉ガイド１０、１１に固定して設置する磁石１０１、１１１は、永久磁石のみではなく、電磁石も含まれる。
【００２１】
次に、本発明に係る掴み装置の第２の実施例を図４を用いて説明する。
【００２２】
本発明の第２の実施例において、第１の実施例との相違点は、図４に示すように、カバー（筒状部材）２０１をシート状物の幅方向に揺動自在のように支持腕１５２に枢着し、ピストン２０５の下端にシート側への揺動を抑制するためのストッパー２０７ａを配した上掴み子２０７を連結したことにある。
【００２３】
本第２の実施例によれば、シート状物１の引張力による揺動の自緊作用によってシート状物の把持力が増強される。なお、ピストン２０５と上掴み子２０２は本図では一体としているが、両者をピン結合することにより、ピストン２０５の中心軸とシート状物１の表面とのなす角度が垂直でないときでも、上掴み子２０２の押え面とシート状物１の表面とを平行となすことができる。また，上掴み子２０７のような構造ではなく、上掴み子と下掴み子の接触部横断面がシート側が水平面で、反シート側が傾斜面の２面で構成された掴み子を用いてシート状物を折り曲げて把持することにより把持力を増強することが可能である。更に、揺動するカバー２０１と支持腕１５２をばねで連結することにより、ばねによる倍力効果を持たせることも可能である。
【図面の簡単な説明】
【００２４】
【図１】本発明に係るシート状物の一実施の形態である同時二軸延伸機の平面図である。
【図２】図１に示す等長リンクの断面図である。
【図３】本発明に係る掴み装置の第１の実施例における開閉方法を示した説明図である。
【図４】本発明に係る掴み装置の第２の実施例における開閉方法を示した説明図である。
【符号の説明】
【００２５】
１…シート状物、  ２…掴み装置、  ９ａ、９ｂ…軸受ローラ、  １０…入口側開閉ガイド、  １１…出口側開閉ガイド、  ３１…等長リンク、  １０１…入口側開閉ガイド用磁石、  １１１…出口側開閉ガイド用磁石、  １５１…延長部、  １５２…支持腕、  ２０１…カバー、  ２０２…上掴み子、  ２０３…下掴み子、  ２０４…掴み装置用磁石、  ２０５…ピストン、  ２０６…内挿ばね、  ２０７…上掴み子、  ２０７ａ…ストッパ。
【図１】
2005212312.tif 000003
【図２】
2005212312.tif 000004
【図３】
2005212312.tif 000005
【図４】
2005212312.tif 000006